(57)【要約】【課題】インバータ回路の動作を早く安定させることができる放電灯点灯装置を得る。【解決手段】直流電源１を変換した高周波交流電源を供給し、ランプ３を点灯させるインバータ回路２と、高周波交流電源に含まれる直流成分をカットしてランプ３に供給するための直流カットコンデンサ４と、直流カットコンデンサ４に発生する電圧からランプ３が有するフィラメントの接続を示す接続検出信号を送信するための抵抗７と、インバータ回路を動作させる低圧電源を供給する低圧電源装置８と、抵抗７からの接続検出信号とインバータ回路２の駆動中にインバータ回路２から送信される動作信号との論理和を演算するダイオード９及び１０と、ダイオード９及び１０の演算に基づいて、低圧電源装置８からインバータ回路２への低圧電源の供給を制御する低圧電源制御手段と１３とを備えたものである。【選択図】        図１
2004327268.tif 000002
【特許請求の範囲】
【請求項１】
直流電源を変換した高周波交流電源を供給し、放電灯を点灯させるインバータ回路と、
前記高周波交流電源に含まれる直流成分を取り除いて前記放電灯に供給するためのコンデンサと、
前記コンデンサに発生する電圧から前記放電灯が有するフィラメントの接続を示す接続検出信号を送信するための抵抗と、
前記インバータ回路を動作させる低圧電源を供給する低圧電源手段と、
前記抵抗からの前記接続検出信号と前記インバータ回路の駆動中に前記インバータ回路から送信される動作信号との論理和を演算する演算手段と、
該演算手段の演算に基づいて、前記低圧電源手段から前記インバータ回路への前記低圧電源の供給を制御する低圧電源制御手段と
を少なくとも備えたことを特徴とする放電灯点灯装置。
【請求項２】
整流平滑手段により商用電源を整流し、平滑して前記直流電源を得ることを特徴とする請求項１記載の放電灯点灯装置。
【請求項３】
前記演算手段は、ダイオードオア回路で構成することを特徴とする請求項１記載の放電灯点灯装置。
【発明の詳細な説明】
【０００１】
【発明の属する技術分野】
本発明は高周波のインバータ回路を備えた放電灯点灯装置に関するものである。特に、低圧の電源をインバータ回路に供給するための手段を備えた放電灯点灯装置に関するものである。
【０００２】
【従来の技術】
従来、インバータ回路を備えた放電灯点灯装置においては、ランプ（放電灯）及び装置の回路保護等を図るため、ランプに設けられたフィラメントが接続されていることが検出されてからインバータ回路を動作させ、ランプを点灯させる回路構成を採っている。
【０００３】
ここで、インバータ回路を備えた放電灯点灯装置には、直流成分を取り除くためのコンデンサが回路上に設けられている。フィラメントが接続されていればこのコンデンサには電圧が発生する。そこで、フィラメントの接続を検出するためにその電圧を利用している放電ランプ点灯装置がある。また、フィラメントの接続検出に加え、インバータ回路を動作させるための低圧電源の供給を制御する信号として利用している放電ランプ点灯装置もある（例えば特許文献１の図３参照）。
【０００４】
【特許文献１】
特開２００２−９３５９１号公報
【０００５】
【発明が解決しようとする課題】
上記のような放電灯点灯装置の回路構成は、コンデンサに発生する電圧を低圧電源の供給を制御する信号に利用するものであるが、始動、点灯直後等にはコンデンサに発生する電圧が安定しないため、この電圧だけを信号として利用しようとすると、電圧が安定するまでインバータ回路の動作が著しく不安定になってしまうことがある。
【０００６】
本発明は、このような問題点を解決するためになされたものであり、インバータ回路の動作を早く安定させることができる放電灯点灯装置を得ることを目的とする。
【０００７】
【課題を解決するための手段】
本発明に係る放電灯点灯装置は、直流電源を変換した高周波交流電源を供給し、放電灯を点灯させるインバータ回路と、高周波交流電源に含まれる直流成分を取り除いて放電灯に供給するためのコンデンサと、コンデンサに発生する電圧から放電灯が有するフィラメントの接続を示す接続検出信号を送信するための抵抗と、インバータ回路を動作させる低圧電源を供給する低圧電源手段と、抵抗からの接続検出信号とインバータ回路の駆動中にインバータ回路から送信される動作信号との論理和を演算する演算手段と、演算手段の演算に基づいて、低圧電源手段からインバータ回路への低圧電源の供給を制御する低圧電源制御手段とを少なくとも備えている。
【０００８】
【発明の実施の形態】
実施の形態１．
図１は本発明の第１の実施の形態に係る放電灯点灯装置の構成を示す図である。直流電源１は、整流平滑手段（図示せず）により商用交流電源（図示せず）を整流、平滑して得られる。インバータ回路２は、直流電源による直流電流を高周波の交流電流に変換してランプ３に供給するために設けられている。ランプ３にはフィラメント１１及び１２が設けられている。フィラメント１１及び１２が放電灯点灯装置と接続されていれば、装置動作開始時（電源投入時）には、直流電源１、抵抗５、フィラメント１１、抵抗６、フィラメント１２、直流カットコンデンサ４を介して直流電源１に戻る回路が形成される。
【０００９】
直流カットコンデンサ４は、インバータ回路２が動作している際には、高周波の交流電流に含まれる直流成分をカットし（取り除き）、交流成分をランプ３に供給する役割を果たすものである。ここで、電源が投入されると直流カットコンデンサ４には電荷が蓄えられ、電圧が発生するが、この電圧に基づいて同様に抵抗７に電圧が発生することになる。抵抗７による電圧は、フィラメント１１及び１２の接続検出を示すための信号となると共に低圧電源制御部１３を動作させるための信号（以下、接続検出信号という）となる。
【００１０】
図２は各信号とその論理和の信号との関係及びランプ３の状態を時間経過と共に表した図である。図２（ａ）は接続検出信号、図２（ｂ）はランプ３の状態、図２（ｃ）はインバータ動作信号、そして図２（ｄ）は論理和信号を表す。接続検出信号はダイオード９を介して低圧電源制御手段１３に入力される。一方、インバータ回路２が動作していれば、インバータ回路２からインバータ動作信号がダイオード１０を介して入力される。つまり、ダイオード９及び１０によって論理和を演算する演算手段となるダイオードオア回路が構成され、接続検出信号とインバータ動作信号との論理和の信号が低圧電源制御手段１３に入力されることになる。これにより、接続検出信号又はインバータ動作信号のうち、少なくともどちらかが入力されていれば、低圧電源制御手段１３は低圧電源装置８を動作させる。そして、低圧電源装置８はインバータ回路２を動作させるために必要な低圧電源をインバータ回路２に供給する。
【００１１】
本実施の形態では、電源投入時にランプ３のフィラメント１１及び１２の接続検出をするのに用いられる電圧（接続検出信号）から直接的に低圧電源を得ようとするのではなく、低圧電源制御手段１３による低圧電源装置８の制御のために用いるようにする。
【００１２】
ここで、低圧電源制御手段１３が、単に接続検出信号だけを用いて制御を行うとすると、ランプ３の始動、点灯直後等における動作が不安定になる。通常、ランプ３が安定して点灯していれば、ランプ３のインピーダンスが低くなるため、直流カットコンデンサ４に発生する電圧は、高周波電圧の半分程度の電圧で安定する（つまり抵抗７の電圧も安定している）。ただ、ランプ３の始動、点灯直後等においてランプ３の放電が安定するまでの間、直流カットコンデンサ４の電圧（抵抗７に印加される電圧）が正負にばらつき不安定になる。そのため、低圧電源装置８の低圧電源供給も不安定となり、インバータ回路２の動作にも支障をきたす。このため、ランプ３もしばらくの間、点灯、消灯が繰り返される。
【００１３】
そこで、ダイオード９及び１０で構成されるダイオードオア回路により、インバータ回路２が動作した後は、インバータ回路２からのインバータ動作信号と接続検出信号との論理和の信号が低圧電源制御部１３に入力されるようにする。したがって、電源投入直後には、ランプ３のフィラメント１１及び１２の接続が検出されれば、低圧電源制御部１３は、低圧電源装置８に対してインバータ回路２に低圧電源を供給させることができる。そして、一旦、インバータ回路２が動作すれば、その後、たとえ、接続検出信号が不安定になったとしても、少なくともインバータ動作信号により論理和の信号は低圧電源制御部１３に入力され、インバータ回路２を動作させ続けることができる（つまり、インバータ動作信号が接続検出信号をマスキングする）。そのため、直流カットコンデンサ４のためにインバータ回路２の動作が停止することはない。
【００１４】
以上のように第１の実施の形態によれば、ランプ３のフィラメント１１及び１２の接続検出のために得られる電圧から直接的に低圧電源を得るのではなく、低圧電源制御手段１３が低圧電源装置８を制御する信号として用いることにより、フィラメント１１及び１２の接続を確認した上で、低圧電源装置８によって得られた低圧電源をインバータ回路２に供給することができる。そのため、商用電源の電圧差等の使用環境、回路構成に関わらず、インバータ回路２に必要な低圧電源を供給することができる。しかも、接続検出信号とインバータ動作信号との論理和の信号により低圧電源制御手段１３を駆動させ、低圧電源装置８に低圧電源を供給させるようにしたので、たとえ、直流カットコンデンサ４の電圧が不安定なために接続検出信号が不安定になったとしても、インバータ回路２からのインバータ動作信号がカバーすることができる。そのため、低圧電源制御手段１３及び低圧電源装置８の動作を安定させ、インバータ回路２に安定した低圧電源を供給することができ、ひいてはインバータ回路２を安定して動作させることができる。また、この論理和の演算をダイオード９及び１０によるダイオードオア回路で構成したので、簡単な構成で安定した低圧電源の供給を行うことができる。
【００１５】
実施の形態２．
上述の実施の形態では、ランプ３（放電灯）を１灯点灯させる場合について説明したが、本発明はこれに限定するものではなく、複数のランプを点灯させるための構成を採った放電灯点灯装置についても適用することができる。
【００１６】
【発明の効果】
以上のように本発明によれば、接続検出信号と動作信号との論理和に基づいて低圧電源制御手段が低圧電源手段を動作させてインバータ回路を動作させるようにしたので、接続検出信号によりインバータ回路への低圧電源供給開始が行われた後は、たとえ、接続検出信号が不安定になったとしても、動作信号により低圧電源制御手段及び低圧電源手段が動作して低圧電源を供給し、インバータ回路が動作し続けることができる。そのため、特に放電灯の始動、点灯直後でもインバータ回路が安定して動作し、安定した放電灯点灯をすばやく行える放電灯点灯装置を得ることができる。
【図面の簡単な説明】
【図１】本発明の第１の実施の形態に係る放電灯点灯装置の構成を示す図である。
【図２】各信号とその論理和の信号との関係及びランプ３の状態を時間推移で表した図である。
【符号の説明】
１  直流電源、２  インバータ回路、３  ランプ、４  直流カットコンデンサ、５、６、７  抵抗、８  低圧電源装置、９、１０  ダイオード、１１、１２  フィラメント、１３  低圧電源制御手段。
【図１】
2004327268.tif 000003
【図２】
2004327268.tif 000004